(57)【要約】【課題】  電動モータを備えた電動工具において、コンパクト化を図るのに有効な技術を提供する。【解決手段】  本発明の電動工具において、ブラシホルダベース１４３を固定するブラシホルダベース１４１は、冷却ファン１５１と対向するとともに遠心方向に沿って平坦状に延在する前面１４１ｂを備え、これにより冷却ファン１５１から放出される冷却用空気を遠心方向へと誘導する構成とされる。【選択図】      図４
2006035404.tif 000002
【特許請求の範囲】
【請求項１】
先端工具と、ハウジング内に収容され前記先端工具を駆動する電動モータとを有し、前記電動モータは、更に、先端工具側に接続された出力軸と、前記出力軸に設けられ当該出力軸と一体に回転する整流子及び電機子と、前記整流子の外周面に摺接して電流を供給するブラシと、前記ブラシを収容するブラシホルダと、前記ブラシホルダを固定するブラシホルダベースと、前記出力軸の軸方向に関し前記ブラシホルダベースと前記電機子との間に介在し、前記出力軸と一体に回転することで冷却用空気を吸引し前記出力軸の軸方向と交差する遠心方向へ放出する冷却ファンとを備える電動工具であって、
前記ブラシホルダベースは、冷却ファンと対向するとともに遠心方向に沿って平坦状に延在する冷却ファン対向面を備え、これにより前記冷却ファンから放出される冷却用空気を遠心方向へと誘導することを特徴とする電動工具。
【請求項２】
請求項１に記載の電動工具であって、
前記ハウジングは、前記電動モータの配置空間を構成する第１の空間部と、前記第１の空間部とハウジング外部とを連通する風窓と、電動工具本体のハンドグリップの内部空間を構成するとともに前記第１の空間部に隣接する第２の空間部とを有し、
前記ブラシホルダベースは、前記冷却ファンにより遠心方向に向かう冷却用空気が、前記第１の空間部から前記第２の空間部へと流れるのを規制する冷却用空気規制部を備えることを特徴とする電動工具。
【請求項３】
請求項１または２に記載の電動工具であって、
前記ブラシホルダベースは、前記ブラシホルダに接続されるとともに前記冷却ファン対向面に露出する熱伝導部を備え、これによりブラシホルダ側から冷却ファン対向面側への熱伝導を許容することを特徴とする電動工具。
【発明の詳細な説明】
【技術分野】
【０００１】
本発明は、電動モータを備えた電動工具の構築技術に関する。
【背景技術】
【０００２】
従来、例えば、下記特許文献１には、出力軸、出力軸に設けられ当該出力軸と一体に回転する整流子及び電機子、整流子の外周面に摺接して電流を供給するブラシ、ブラシを収容するブラシホルダ、ブラシホルダを保持するブラシホルダベース、冷却用空気により電機子の冷却を行うべく出力軸と一体に回転する冷却ファン等の要素をハウジングに収容した構成の電動モータが開示されている。また、このような構成において、電機子を冷却する冷却用空気の流通路に、冷却用空気を誘導するバッフル部材を設けることによって、冷却ファンによる冷却用空気の流れを円滑化しようとする技術が知られている。
ところで、この種の電動モータを備えた電動工具においては、冷却用空気を誘導する構成を更に工夫することによって、とりわけ電動モータの出力軸の軸方向に関する大きさを抑え、これにより電動工具のコンパクト化を図る要請が高い。
【特許文献１】実開昭５７−１１１０６８号公報
【発明の開示】
【発明が解決しようとする課題】
【０００３】
本発明は、かかる点に鑑みてなされたものであり、電動モータを備えた電動工具において、コンパクト化を図るのに有効な技術を提供することを課題とする。
【課題を解決するための手段】
【０００４】
上記課題を達成するため、各請求項記載の発明が構成される。
【０００５】
（本発明の第１発明）
前記課題を解決する本発明の第１発明は、請求項１に記載の電動工具である。
本発明のこの電動工具は、先端工具及び電動モータを少なくとも備える。本発明の先端工具は、各種ネジのネジ締め作業、穴あけ作業、切断作業、切削作業、研削・研磨作業等に用いられる。本発明の電動モータは、電動工具のハウジングに収容され先端工具を駆動する駆動源として構成される。本発明における「電動モータ」として、典型的には４極の直流モータ、あるいは４極の交流整流子モータを用いることができ、更に２極を越える極数の直流モータ、あるいは交流整流子モータ等を用いることもできる。また、電源コードを用いて電源から電動モータに電流を供給する方式、工具本体に搭載されたバッテリーから電動モータに電流を供給する充電式のいずれの方式も本発明に包含される。すなわち、本発明における「電動工具」は、穴あけ作業や締付け作業に用いられる作業工具、切断作業や切削作業あるいは研削作業や研磨作業に用いられる作業工具等、電動モータを駆動源とする、いわゆる電動式の作業工具を広く包含する。
【０００６】
本発明の電動モータは、更に、出力軸、整流子、電機子、ブラシ、ブラシホルダ、ブラシホルダベース、冷却ファンを少なくとも備える。出力軸は、先端工具側に接続され、電動モータの出力を先端工具側に伝達する機能を有する。整流子及び電機子は、出力軸に設けられ当該出力軸と一体に回転する構成を有する。整流子は、ブラシから供給される電流を電機子のコイルに流す機能を有する。ブラシは、整流子の外周面に摺接して電流を供給する機能を有する。ブラシホルダは、ブラシを収容する機能を有する。ブラシホルダベースは、ブラシホルダを固定する機能を有する基盤として構成される。冷却ファンは、出力軸の軸方向に関しブラシホルダベースと電機子との間に介在し、出力軸と一体に回転することで冷却用空気を吸引し出力軸の軸方向と交差する遠心方向へ放出する機能を有する。
【０００７】
本発明では、特に、ブラシホルダベースは、冷却ファンと対向する冷却ファン対向面を有し、当該冷却ファン対向面が遠心方向に沿って平坦状に延在するように構成されている。ここでいう「平坦状」とは、典型的には、表面の凹凸を抑えることによって冷却用空気の流れを極力規制することなく遠心方向へと導くことを可能とする形状である。これにより冷却ファンから放出される冷却用空気は、ブラシホルダベースの対向面に沿って遠心方向に円滑に誘導されることとなる。このように、本発明では、ブラシホルダを固定するブラシホルダベース本来のブラシホルダ固定機能に加え、冷却ファンによる冷却用空気を誘導する冷却用空気誘導機能（バッフル機能）を兼ね備えている。かくして、出力軸の軸方向に配置された整流子、電機子、ブラシ、ブラシホルダ等を通り、ハウジング吸気窓から冷却ファンへ吸引され、当該冷却ファンの遠心方向へ放出される冷却用空気の円滑な流れが形成されることとなり、これら整流子、電機子、ブラシ、ブラシホルダ等を効果的に冷却することが可能となる。
従って、請求項１に記載の発明によれば、ブラシホルダ固定機能と空気誘導機能を兼ね備えた構成のブラシホルダベースを用いることによって、例えばブラシホルダベースとは別個に出力軸の軸方向に沿って空気誘導部材を設けるような構成に比して、出力軸の軸方向に関する大きさを抑え、これにより電動工具のコンパクト化を図ることが可能となる。また、ブラシホルダベースがブラシホルダ固定機能及び空気誘導機能を兼用することによって、電動モータの部品点数を削減することが可能となる。
【０００８】
（本発明の第２発明）
前記課題を解決する本発明の第２発明は、請求項２に記載の電動工具である。
本発明のこの電動工具は、請求項１に記載の構成において、ハウジングが第１の空間部、風窓、第２の空間部を少なくとも備える。第１の空間部は、電動モータの配置空間を構成する、いわゆるモータハウジング内の空間領域として構成される。風窓は、第１の空間部とハウジング外部とを連通する連通孔として構成される。第２の空間部は、電動工具本体を作業者が手で掴むハンドグリップ部分の内部空間を構成する。また、本発明のブラシホルダベースは、更に冷却用空気規制部を備える。この冷却用空気規制部は、冷却ファンにより遠心方向に向かう冷却用空気が、第１の空間部から第２の空間部へと流れるのを規制する機能を有する部位である。典型的には、冷却ファンの径方向外周を覆うように当該冷却ファンのファン外周部分に沿ってこの外周部分と概ね同様の曲率で形成される板状の延出片をブラシホルダベースに設ける。これにより、冷却ファンの外周がこの板状の延出片によって覆われ、冷却ファンによる遠心方向の冷却用空気の流れが遮へいされることとなる。これにより、冷却ファンにより遠心方向に向かう冷却用空気は、風窓を通じて第１の空間部からハウジング外部へと流れるのが許容される一方、第１の空間部から第２の空間部へと流れるのが規制される。なお、ここでいう冷却用空気の流れの「規制」に関しては、遠心方向に向かう冷却用空気の流れが、第１の空間部と第２の空間部の境界で乱れるのを防止できればよく、第１の空間部と第２の空間部との間に冷却用空気の一部の流れがあってもよいし、或いは冷却用空気の流れが冷却用空気規制部によって完全に阻止されてもよい。
従って、請求項２に記載の発明によれば、請求項１に記載の発明の効果に加え、電動モータにおいて冷却ファンにより遠心方向に向かう冷却用空気が第１の空間部から第２の空間部へと流れるのを、ブラシホルダベースの冷却用空気規制部を介して阻止することによって、冷却用空気の流れが乱れるのを防止し、より円滑な流れが形成されるように冷却用空気を誘導することが可能となる。
【０００９】
（本発明の第３発明）
前記課題を解決する本発明の第３発明は、請求項３に記載の電動工具である。
本発明のこの電動工具は、請求項１または２に記載のブラシホルダベースが、更に熱伝導部を有する構成になっている。この熱伝導部は、ブラシホルダに接続されるとともに冷却ファン対向面に露出する部位として構成される。典型的には、銅、アルミなどの金属材料やセラミック材料等の良熱伝導性材料を用いて熱伝導部を構成する。これにより、ブラシホルダ側から冷却ファン対向面側への熱伝導が許容されることとなる。ブラシホルダは、整流子との摺接によって高熱となるブラシを収容するため、ブラシホルダ及びその周辺部分が高熱化する。そこで、ブラシホルダベースに本発明の熱伝導部を設けることによって、ブラシホルダ側から冷却ファン対向面側への熱伝導が促進され、伝導した熱を更に冷却ファンによる冷却用空気の流れによって効率的に放熱させることが可能となる。
従って、請求項３に記載の発明によれば、請求項１または請求項２に記載の発明の効果に加え、電動モータにおいてブラシホルダ及びその周辺部の放熱効果を高めることが可能となる。
【発明の効果】
【００１０】
本発明によれば、電動モータを備えた電動工具において、特にブラシホルダ固定機能と空気誘導機能を兼ね備えた構成のブラシホルダベースを設けることによって、電動モータの出力軸の軸方向に関する大きさを抑え、これにより電動工具のコンパクト化を図ることが可能とされる。
【発明を実施するための最良の形態】
【００１１】
以下、本発明の「電動工具」の一実施の形態を図面に基づいて説明する。本実施の形態は、電動工具の一例として電動式（充電式）のインパクトドライバを用いて説明する。
【００１２】
本発明の一実施の形態のインパクトドライバ１００の全体構成を概略的に示す一部切断側面図が図１に示される。図１に示すように、本実施の形態のインパクトドライバ１００は、概括的に見て、インパクトドライバ１００の外郭を形成する本体部１０１、当該本体部１０１の先端領域に着脱自在に取付けられて各種ネジのネジ締め作業を行うドライバビット１０９を主体として構成される。このドライバビット１０９が本発明における「先端工具」に対応している。
【００１３】
本体部１０１は、モータハウジング１０３、ギアハウジング１０５およびハンドグリップ１０７から構成されている。この本体部１０１が本発明における「ハウジング」を構成している。モータハウジング１０３内には、駆動モータ１２１が収容されている。この駆動モータ１２１が本発明における「電動モータ」に対応している。ハンドグリップ１０７には、駆動モータ１２１の電源スイッチ（図示省略）を投入操作するトリガ１２５が設けられている。ギアハウジング１０５内には、駆動モータ１２１の出力軸(後述する出力軸１２２)の回転を適宜減速するための遊星ギア装置によって構成される減速機構１１１、減速機構１１１によって回転駆動されるスピンドル１１２、当該スピンドル１１２からボール１１３を伝達部材として回転駆動されるハンマー１１４、およびハンマー１１４によって回転駆動されるアンビル１１５が配置されている。ハンマー１１４はスピンドル１１２の長軸方向に相対的に移動可能とされ、圧縮コイルスプリング１１６によってアンビル１１５側に向けて付勢されている。なおアンビル１１５の先端は、ギアハウジング１０５の先端から突出しており、この突出された先端部にドライバビット１０９が着脱自在に取り付けられる。
【００１４】
上記のように構成されたインパクトドライバ１００において、トリガ１２５を引き操作して電源スイッチを投入すると、駆動モータ１２１が通電駆動され、減速機構１１１、スピンドル１１２、ハンマー１１４、アンビル１１５を介してドライバビット１０９が回転駆動され、ネジ締め作業が遂行される。
ネジ締め作業のために駆動モータ１２１が通電駆動されると、ドライバビット１０９による締付トルクが軽負荷状態では、スピンドル１１２とハンマー１１４は一体に回転する。この軽負荷状態では、ハンマー１１４はアンビル１１５に圧縮コイルスプリング１１６による付勢力で係合した状態を保持される。このため、アンビル１１５もハンマー１１４と一体となって回転し、ドライバビット１０９によるネジ締め作業が遂行される。
一方、締付トルクが大きくなり、所定の高負荷状態となったときは、ハンマー１１４が圧縮コイルスプリング１１６に抗してアンビル１１５から離れる方向へと後退動作したのち、圧縮コイルスプリング１１６の付勢力によって衝撃的な回転トルクを伴いつつアンビル１１５に係合し、当該アンビル１１５を経てドライバビット１０９に大きな締付トルクを発生させる。なおインパクトドライバ１００の作動原理自体は、周知の技術事項に属するため、その詳細な構成作用の説明は、便宜上省略する。
【００１５】
上記駆動モータ１２１は、バッテリー１２７を駆動電源とする４極の直流モータであり、以下、当該駆動モータ１２１及びその周辺の概略構成を図２〜図７を参照しながら説明する。
【００１６】
本実施の形態の駆動モータ１２１の断面構造が図２に示される。図２に示すように、駆動モータ１２１は、出力軸１２２、出力軸１２２と一体に回転する冷却ファン１５１、出力軸１２２と一体に回転する電機子１３３、モータハウジング１０３に固定される固定子１３５、出力軸１２２の一端側（図１中の減速機構１１１の反対側）に設けられた整流子１３７、整流子１３７の外周面に摺接して電流を供給する４個のブラシ（図３中に示すブラシ１４５）、各ブラシを収容する４つのブラシホルダ１４３、ブラシホルダ１４３を固定する略円盤形状のブラシホルダベース１４１を主体として構成されている。
【００１７】
出力軸１２２は一端（後端）がモータハウジング１０３に軸受１２３を介して回転自在に支持され、他端側（減速機構側）がギアハウジング１０５に軸受１２４を介して回転自在に支持されている。冷却ファン１５１は、遠心ファンであり、電機子１３３と整流子１３７の間に配置されている。この冷却ファン１５１は、電機子１３３側および整流子１３７側から空気を吸入（導入）し、これを遠心方向に放射状に放出（導出）させることによって、整流子１３７、ブラシ（図３中に示すブラシ１４５）、電機子１３３およびそれらの周辺部の放熱を促進し冷却する構成とされる。この冷却ファン１５１が本発明における「冷却ファン」に対応している。そして、冷却ファン１５１による冷却後の風は、モータハウジング１０３に設けた風窓（図７中に示す風窓１０３ａ）から外部へ放出される。
【００１８】
また、上記駆動モータ１２１を構成する本実施の形態のブラシホルダベース１４１の構造に関し、当該ブラシホルダベース１４１の平面図が図３に示される。
【００１９】
図３に示すように、ブラシホルダベース１４１は、中央部に整流子１３７（図２参照）が貫通可能な円形の貫通孔１４２を有する略円盤形状であり、モータハウジング（図２中のモータハウジング１０３）の内壁面にネジ等の固定手段によって止着されている。このブラシホルダベース１４１は、冷却ファン１５１よりも若干大きい外径を有する絶縁材料によって構成されている。このブラシホルダベース１４１の後面１４１ａ（冷却ファン１５１と反対面）には、貫通孔１４２を取り囲むようにして４個のブラシホルダ１４３が互いに９０度の間隔を置いて配置固定され、それらの各ブラシホルダ１４３にはそれぞれブラシ１４５（図３参照）が摺動自在に収容されている。すなわち、このブラシホルダベース１４１は、その後面１４１ａによって、ブラシホルダ１４３を固定するブラシホルダ固定機能を果たす。各ブラシ１４５は、トーションスプリング１４７によって整流子１３７の外周面に径方向から概ね直角状に押付けられるように付勢される。
なお、ブラシ１４５が本発明における「ブラシ」に対応しており、このブラシ１４５を収容するブラシホルダ１４３が本発明における「ブラシホルダ」に対応しており、このブラシホルダ１４３を固定するブラシホルダベース１４１が本発明における「ブラシホルダベース」に対応している。
【００２０】
上記のように構成された駆動モータ１２１に電源が投入されると、電機子１３３に配設されたコイルに電流が流れ、電機子１３３および出力軸１２２が一体となって回転駆動される。この際、整流子１３７およびブラシ１４５は、電機子１３３および出力軸１２２が所定の方向に連続的に回転するように、電機子１３３のコイルに流す電流の方向を適宜切り替えている。ここでいう出力軸１２２が本発明における「出力軸」に対応しており、電機子１３３が本発明における「電機子」に対応しており、整流子１３７が本発明における「整流子」に対応している。なお、これら出力軸１２２、電機子１３３、整流子１３７によって、駆動モータ１２１の固定側部材に対し回転動作する、いわゆる「回転子」が構成される。なお、直流モータの作動原理自体は周知の技術事項に属するため、その詳細な作用の説明は便宜上省略する。
【００２１】
なお、本実施の形態では、上記構成の４個のブラシ１４５は、貫通孔１４２を挟んで対向する２つで対をなすように、バッテリー１２７のプラス側（陽極）とマイナス（陰極）側に接続されている。また、各ブラシホルダ１４３間には、整流子１３７の外周面に所定の間隙を置いて対向する断面弧状の空気誘導壁１４９（図３参照）が設けられており、この空気誘導壁１４９は、出力軸１２２の軸方向に沿って延在する構成になっている。これにより、ブラシホルダベース１４１の後面１４１ａ側において、この空気誘導壁１４９によってモータハウジング１０３の後部の開口（図示省略）から取り込まれた冷却用空気が、整流子１３７の外周面に沿って冷却ファン１５１側へ誘導される。
【００２２】
また、上記駆動モータ１２１を構成する本実施の形態のブラシホルダベース１４１及びその周辺の構造に関し、当該ブラシホルダベース１４１及びその周辺の構造をあらわす斜視図が図４及び図５に示され、当該ブラシホルダベース１４１及びその周辺の構造をあらわす部分断面図が図６に示される。また、図７には、本実施の形態のブラシホルダベース１４１における延出部１４６の配置が模式的に示される。
【００２３】
図４〜図６に示すように、ブラシホルダベース１４１の前面１４１ｂは、当該ブラシホルダベース１４１が冷却ファン１５１と対向する面として構成される。本実施の形態では、この前面１４１ｂは、貫通孔１４２の内縁部から出力軸１２２の軸方向と直交する遠心方向に沿って平坦状に延在する面であり、表面の凹凸を抑えた構成になっている。この前面１４１ｂが本発明における「冷却ファン対向面」に対応している。これにより、冷却ファン１５１の駆動により、電機子１３３側から冷却ファン１５１へと吸引（導入）された冷却用空気、及び空気誘導壁１４９の内方を通って、ブラシホルダベース１４１の後面１４１ａ側から前面１４１ｂ側へと吸引（導入）された冷却用空気は、ブラシホルダベース１４１の前面１４１ｂに沿って誘導され遠心方向へ向けて円滑に放出される。すなわち、本実施の形態のブラシホルダベース１４１は、前述のように、その後面１４１ａによってブラシホルダ固定機能を果たすとともに、その前面１４１ｂによって冷却用空気を円滑に誘導する冷却用空気誘導面としての機能（バッフル機能）を併せ持つように構成されている。
【００２４】
本実施の形態のブラシホルダベース１４１のこのような構成によれば、例えばブラシホルダベースとは別個に出力軸１２２の軸方向に沿って空気誘導部材を設けるような構成に比して、出力軸１２２の軸方向に関する大きさを抑え、これによりインパクトドライバ１００のコンパクト化を図ることが可能とされる。また、出力軸１２２の軸方向に関する大きさを抑えることによって、冷却ファン１５１の出力軸１２２の軸方向に沿ったファンリブ高さ（ファン翼高さ）を高くすることができ、冷却効果の高い冷却ファンを構成するのに有効である。また、ブラシホルダベース１４１がブラシホルダ固定機能及び冷却用空気誘導機能（バッフル機能）を兼用することによって、駆動モータ１２１の部品点数を削減することが可能となる。
【００２５】
また、本実施の形態のブラシホルダベース１４１は、図４〜図６に示すように、その前面１４１ｂの下部外縁（図１中のハンドグリップ１０７側）に延出部１４６を備える。この延出部１４６は、ブラシホルダベース１４１の下部円弧において、冷却ファン１５１の径方向外周を覆うように当該冷却ファン１５１の外周部分に沿ってこの外周部分と概ね同様の曲率で部分的に形成される板状片であるとともに、冷却ファン１５１の下方（図１中のハンドグリップ１０７側）を出力軸１２２の軸方向に沿って延在する板状片として構成される。また、この延出部１４６の延出高さ（出力軸１２２の軸方向の長さ）に関しては、冷却ファン１５１のファンリブ高さと合致するか、あるいはファンリブ高さよりも多少長くなるか多少短くなるように構成する。このような構成の延出部１４６によって、冷却ファン１５１の外周が部分的に覆われ、冷却ファン１５１による遠心方向の冷却用空気の流れが遮へいされることとなる。すなわち、図７に示すように、ブラシホルダベース１４１の延出部１４６は、モータハウジング１０３において駆動モータ１２１の配置空間を構成する第１の空間部１０３ｂと、ハンドグリップ１０７の内部空間を構成するとともに第１の空間部１０３ｂに隣接する第２の空間部１０３ｃとを区画する部位として構成される。この延出部１４６が本発明における「冷却用空気規制部」に対応している。
【００２６】
本実施の形態のブラシホルダベース１４１のこのような構成によれば、延出部１４６は、冷却ファン１５１の駆動によってブラシホルダベース１４１の前面１４１ｂ側へと誘導され、冷却ファン１５１の遠心方向へと向かう冷却用空気が、第１の空間部１０３ｂからハンドグリップ１０７側の第２の空間部１０３ｃに向けて下方へ流れるのを規制する機能を果たす。これにより、冷却ファン１５１により遠心方向に向かう冷却用空気は、図７に示すように、風窓１０３ａを通じて第１の空間部１０３ｂからハウジング外部へと流れるのが許容される一方、第１の空間部１０３ｂから第２の空間部１０３ｃに向けて下方へ流れるのが規制される。換言すれば、この延出部１４６は、第２の空間部１０３ｃの影響を受け難くすることで、冷却ファン１５１により遠心方向に向かう冷却用空気を風窓１０３ａへと誘導する冷却用空気誘導機能（バッフル機能）を果たしている。この風窓１０３ａが本発明における「風窓」に対応しており、第１の空間部１０３ｂが本発明における「第１の空間部」に対応しており、第２の空間部１０３ｃが本発明における「第２の空間部」に対応している。このように、延出部１４６を備えるブラシホルダベース１４１を用いることによって、冷却用空気の流れが乱れるの（乱流の発生）を防止し、より円滑な流れが形成されるように冷却用空気を誘導することが可能とされる。特に、冷却ファン１５１の外周部分に沿ってこの外周部分と概ね同様の曲率で形成される延出部１４６とすることによって、冷却用空気の流れの乱れを抑える効果が高まる。また、図７に示すように、本実施の形態では、冷却ファン１５１のファン翼外径と、モータハウジング１０３の内径及び、延出部１４６の内周面との隙間が均一となる（図７中に示す隙間ａと隙間ｂが均一となる）ように構成されているため、冷却用空気の乱流や、冷却用空気の乱流による騒音を低減させるのに有効である。
【００２７】
なお、板状片として構成される上記延出部１４６の形状については、冷却ファン１５１の径方向外周を覆うように当該冷却ファン１５１の外周部分に沿ってこの外周部分と概ね同様の曲率で形成される板状片であればよく、ブラシホルダベース１４１の下部円弧における延在する長さや、出力軸１２２の軸方向に関する延出高さは、電動モータや電動工具の仕様等に基づいて適宜設定可能である。
【００２８】
更に、本実施の形態のブラシホルダベース１４１は、図５及び図６に示すように、その前面１４１ｂに、図５中の斜線で示す熱伝導部１４８を備える。この熱伝導部１４８は、ブラシホルダ１４３に接続されるとともに前面１４１ｂ（冷却ファン対向面）に露出する金属材料製（銅、アルミなどの金属材料製）の部位として構成される。また、熱伝導部１４８は、ブラシホルダベース１４１の前面１４１ｂに沿って平坦状に構成されている。この熱伝導部１４８が本発明における「熱伝導部」に対応している。
【００２９】
本実施の形態では、この熱伝導部１４８は、リング状（環状）の第１の熱伝導部１４８ａと、その第１の熱伝導部１４８ａよりも大径のリング状（環状）の第２の熱伝導部１４８ｂからなる。これら第１の熱伝導部１４８ａ及び第２の熱伝導部１４８ｂの各々は、貫通孔１４２を挟んで対向する２つで対をなす同極のブラシホルダ１４３同士を電気的に接続する（短絡する）金属部分である。例えば、第１の熱伝導部１４８ａがプラス側（陽極）のブラシホルダ１４３に接続され、第２の熱伝導部１４８ｂがマイナス（陰極）側のブラシホルダ１４３に接続される。なお、本実施の形態では、２つのブラシホルダ１４３に対し１つの熱伝導部を設ける構成としたが、１つのブラシホルダ１４３に対し１つの熱伝導部を設けるように構成することもできる。ブラシホルダ１４３は、整流子１３７との摺接によって高熱となるブラシ１４５を収容するため、ブラシホルダ１４３及びその周辺部分が高熱化する。そこで、本実施の形態では、ブラシホルダベース１４１に第１の熱伝導部１４８ａ及び第２の熱伝導部１４８ｂからなる熱伝導部１４８を設けるように構成している。
【００３０】
本実施の形態のブラシホルダベース１４１のこのような構成によれば、第１の熱伝導部１４８ａ及び第２の熱伝導部１４８ｂは、ブラシホルダ１４３及びその周辺の熱が、これら第１の熱伝導部１４８ａ及び第２の熱伝導部１４８ｂを通じてブラシホルダベース１４１の前面１４１ｂへ熱伝導するのを促進する。そして、伝導した熱を更に冷却ファン１５１による冷却用空気の流れによって効率的に放熱させることによって、ブラシホルダ１４３及びその周辺部の放熱効果を高めることが可能となる。好ましくは、熱伝導部１４８を極力熱伝導性の良い金属材料やセラミック材料によって構成するとともに、当該熱伝導部１４８の表面積を極力増やすように構成する。これにより、ブラシホルダ１４３及びその周辺部の放熱効果を更に高めることが可能となる。
【００３１】
（他の実施の形態）
なお、本発明は上記実施の形態のみに限定されるものではなく、本実施の形態に基づいた種々の応用例や変更例を想到することができる。例えば、本実施の形態を応用した以下の形態を実施することもできる。
【００３２】
上述した本実施の形態では、駆動モータ１２１を構成するブラシホルダベース１４１が延出部１４６及び熱伝導部１４８を備える場合について記載したが、本発明では、ブラシホルダベース１４１が、冷却用空気を冷却ファン１５１の遠心方向に沿って誘導する前面１４１ｂ（冷却用空気誘導面）を少なくとも備えていればよく、電動モータや電動工具の仕様等によっては、延出部１４６や熱伝導部１４８の構成を省略することもできる。
【００３３】
また、上述した本実施の形態では、電動工具の一例としてネジ締め作業に用いられるインパクトドライバ１００を例にとって説明しているが、本発明は、インパクトドライバ１００に限定されるものではなく、切断作業、切削作業、研削・研磨作業、あるいは穴あけ作業に用いられる各種の電動工具に適用され得る。要するに、本実施の形態の駆動モータ１２１のような構成の駆動モータを備えた作業工具に、本発明を適用することが可能である。
【００３４】
また、上述した本実施の形態では、駆動モータ１２１の一例として４極の直流モータの場合で説明しているが、４極の交流整流子モータあるいは２極を越える極数の直流モータや交流整流子モータ等の構成に本発明を適用することが可能である。
【図面の簡単な説明】
【００３５】
【図１】本発明の一実施の形態のインパクトドライバ１００の全体構成を概略的に示す一部切断側面図である。
【図２】本実施の形態の駆動モータ１２１の断面構造を示す図である。
【図３】本実施の形態の駆動モータ１２１を構成するブラシホルダベース１４１の平面図である。
【図４】本実施の形態のブラシホルダベース１４１及びその周辺の構造をあらわす斜視図である。
【図５】同じく本実施の形態のブラシホルダベース１４１及びその周辺の構造をあらわす斜視図である。
【図６】本実施の形態のブラシホルダベース１４１及びその周辺の構造をあらわす部分断面図である
【図７】本実施の形態のブラシホルダベース１４１における延出部１４６の配置を模式的に示す図である。
【符号の説明】
【００３６】
１００  インパクトドライバ（電動工具）
１０１  本体部
１０３  モータハウジング
１０３ａ  風窓
１０３ｂ  第１の空間部
１０３ｃ  第２の空間部
１０５  ギアハウジング
１０７  ハンドグリップ
１０９  ドライバビット（先端工具）
１１１  減速機構
１１２  スピンドル
１１３  ボール
１１４  ハンマー
１１５  アンビル
１１６  圧縮コイルスプリング
１２１  駆動モータ（電動モータ）
１２２  出力軸
１２３  軸受
１２４  軸受
１２５  トリガ
１２７  バッテリー
１３３  電機子
１３５  固定子
１３７  整流子
１４１  ブラシホルダベース
１４１ａ  後面
１４１ｂ  前面（冷却ファン対向面）
１４２  貫通孔
１４３  ブラシホルダ
１４４  バネ支持部材
１４５  ブラシ
１４６  延出部
１４７  トーションスプリング
１４８  熱伝導部
１４８ａ  第１の熱伝導部
１４８ｂ  第２の熱伝導部
１４９  空気誘導壁
１５１  冷却ファン
【図１】
2006035404.tif 000003
【図２】
2006035404.tif 000004
【図３】
2006035404.tif 000005
【図４】
2006035404.tif 000006
【図５】
2006035404.tif 000007
【図６】
2006035404.tif 000008
【図７】
2006035404.tif 000009